(57)【要約】【課題】  衝撃検知センサにおいて、あらゆる方向に対する衝撃を検知できる。【解決手段】  検知棒１０は、ばね性を有する導電材によって極細状に形成されており、検知棒１０の基端部１０ａは導電材によって形成された基台１１の折り返し部１１ａに、はんだ付けによって固定されている。検知棒１０の揺動端部１０ｂは導電材によって形成された検知片１２の折り曲げ部１２ａに形成した円形の空間部の中央部に位置付けられている。衝撃検知センサ３に対して衝撃が加わると、検知棒１０の揺動端部１０ｂが検知片１２の空間部の内周面に接触し、電気的に衝撃を検知する。【選択図】  図２
2010055996.tif 000002
【特許請求の範囲】
【請求項１】
ばね性を有する導電材によって極細状に形成された検知棒と、この検知棒の基端部を電気的に接続するように固定する導電材によって形成された基台と、前記検知棒の揺動端部が臨む円形の空間部を有し導電材によって形成された検知片とによって構成し、前記検知棒の揺動端部が前記検知片の空間部の内周面に接触することにより電気的に衝撃を検知することを特徴とする衝撃検知センサ。
【請求項２】
前記検知棒の揺動端部に重りを設けたことを特徴とする請求項１記載の衝撃検知センサ。
【請求項３】
前記検知棒の少なくとも基端部側を螺旋状に形成したことを特徴とする請求項１または２記載の衝撃検知センサ。
【発明の詳細な説明】
【技術分野】
【０００１】
本発明は、例えばパチンコ台等の遊技台に対して加えられる衝撃を検知し、不正行為等を抑止することを目的とした衝撃検知センサに関するものである。
【背景技術】
【０００２】
例えば、パチンコ台等の遊技台において、遊技台を叩いたり揺すったりして、遊技台に対して衝撃を加えることにより、パチンコ玉を入賞孔に誘導するという不正行為が行われている。この不正行為を抑止するために、この種の遊技台には衝撃検知センサが付設されており、遊技台に対して衝撃が加えられると、この衝撃検知センサによって検知できるように構成されている。
【０００３】
従来の衝撃検知センサとしては、揺動自在に支持されたアクチュエータと、このアクチュエータの下端に取り付けられた重りと、アクチュエータの上部に設けられフォトセンサの光路を遮蔽する遮蔽部とからなり、遊技台に対して衝撃が加えられると、重りの慣性によってアクチュエータが揺動し、遮蔽部によってフォトセンサの光路が遮蔽されることにより衝撃を検知するものがある（例えば、特許文献１参照）。
【特許文献１】特開２００８−３９４７６号公報
【発明の開示】
【発明が解決しようとする課題】
【０００４】
上述した従来の衝撃検知センサにおいては、アクチュエータが揺動軸に揺動自在に支持された構造であるため、アクチュエータの揺動方向に向かって加えられた衝撃については検知できるが、揺動方向と異なる方向に向かって加えられる衝撃については検知できないという問題があった。
【０００５】
本発明は上記した従来の問題に鑑みなされたものであり、その目的とするところは、あらゆる方向に対する衝撃を検知できる衝撃検知センサを提供するところにある。
【課題を解決するための手段】
【０００６】
この目的を達成するために、本発明は、ばね性を有する導電材によって極細状に形成された検知棒と、この検知棒の基端部を電気的に接続するように固定する導電材によって形成された基台と、前記検知棒の揺動端部が臨む円形の空間部を有し導電材によって形成された検知片とによって構成し、前記検知棒の揺動端部が前記検知片の空間部の内周面に接触することにより電気的に衝撃を検知するものである。
【０００７】
本発明は、前記発明において、前記検知棒の揺動端部に重りを設けたものである。
【０００８】
本発明は、前記発明のいずれか一つの発明において、前記検知棒の少なくとも基端部側を螺旋状に形成したものである。
【発明の効果】
【０００９】
本発明によれば、検知棒はあらゆる方向からの衝撃に対して基端部を揺動中心として、揺動端部が揺動するように弾性変形可能であるため、揺動する揺動端部を空間部の中央に位置付けておけば、あらゆる方向からの衝撃を検知することができる。
【００１０】
前記発明のうちの一つの発明によれば、重りの重量を調節することにより、検知する衝撃の強さを調節することができる。
【００１１】
前記発明のうちの一つの発明によれば、螺旋状に形成することにより、検知棒の全長を短くすることができるため、小型化を図ることができる。
【発明を実施するための最良の形態】
【００１２】
以下、本発明の実施の形態を図に基づいて説明する。図１は本発明に係る衝撃検知センサの平面図、図２（Ａ）は要部の側面図、同図（Ｂ）は同図（Ａ）におけるII（Ｂ）矢視図、図３は同じく回路図、図４は衝撃が加えられたときの図２（Ａ）におけるII（Ｂ）矢視図である。
【００１３】
図１に全体を符号１で示すセンサは、密閉されたケース２内に収納された衝撃検知センサ３と磁気検知センサ４とを備えている。このうち、衝撃検知センサ３は、ばね性を有する導電材によって極細状に形成された検知棒１０と、この検知棒１０の基端部１０ａを電気的に接続するように固定する導電材によって形成された基台１１と、検知棒１０の揺動端部１０ｂが臨む円形の空間部１２ｂを有し導電材によって形成された検知片１２とによって構成されている。
【００１４】
すなわち、基台１１は、図２（Ａ）に示すようにケース２の底部２ａに固定されており、一端部が断面逆Ｊ状に折り返され、この折り返し部１１ａに、検知棒１０がケース２の底部２ａと平行となるように基端部１０ａがはんだ付けによって固定されている。
【００１５】
検知片１２は、基台１１と対向するようにケース２の底部２ａに固定されており、一端部が底部２ａから立設するように折り曲げられており、この折り曲げ部１２ａには、同図（Ｂ）に示すように円形の空間部１２ｂが設けられている。基端部１０ａの基台１１に取り付けられた検知棒１０の揺動端部１０ｂは、検知片１２の空間部１２ｂの中央部に位置付けられている。
【００１６】
図３において、１５はリセットボタン（図示せず）を押圧操作することにより入力されるリセット信号（Ｒ）を反転させるインバータ、１６はアンド回路、１７はオア回路、１８はＬＥＤである。このような構成において、電源を入力するとＬＥＤ１８が点灯し、インバータ１５にリセット信号（Ｒ）を入力することによりＬＥＤ１８は消灯する。
【００１７】
この状態で、衝撃検知センサ３に対して衝撃が加わると、検知棒１０が軸線方向と直交する方向に弾性変形し、基端部１０ａを揺動中心として揺動端部１０ｂが揺動することにより、図４に示すように揺動端部１０ｂが検知片１２の空間部１２ｂの内周面１２ｃに接触する。
【００１８】
検知棒１０の揺動端部１０ｂが検知片１２の空間部１２ｂの内周面１２ｃに接触すると、オア回路１７に衝撃検知センサ３から入力信号（Ｓ）が入力されＬＥＤ１８が点灯し、衝撃が加わったことが報知される。すなわち、衝撃検知センサ３は、検知棒１０の揺動端部１０ｂが検知片１２の空間部１２ｂの内周面１２ｃに接触することにより電気的に衝撃を検知する。
【００１９】
この衝撃検知センサ３においては、検知棒１０はあらゆる方向からの衝撃に対して基端部１０ａを揺動中心として、揺動端部１０ｂが揺動するように弾性変形可能であるため、揺動する揺動端部１０ｂを検知片１２の空間部１２ｂの中央部に位置付けておけば、あらゆる方向からの衝撃を検知することができる。また、この衝撃検知センサ３に過大な衝撃が加わったとしても、検知棒１０の揺動端部１０ｂが検知片１２の空間部１２ｂ内に臨んでいるため、衝撃が除去されると初期位置に復帰するから耐久性にも優れている。
【００２０】
磁気検知センサ４は、衝撃検知センサ３の検知棒１０と平行に配置されたリードスイッチ２０を備えている。したがって、センサ１は、衝撃検知センサ３によって衝撃を検知できるとともに、磁気検知センサ４によって磁石等による不正行為を検知することもできる。また、検知棒１０とリードスイッチ２０との延在方向が共に同じ方向であるため、これら検知棒１０およびリードスイッチ２０をケース２のスペース内に効率よく収納することができる。
【００２１】
なお、本実施の形態においては、検知棒１０を水平方向に延在させるようにして使用する場合を説明したが、衝撃の加わる方向によって、検知棒１０を垂直方向に延在させるようにしたり、傾斜させるようにして使用することもできる。また、衝撃検知センサ３によって衝撃を検知することにより、ＬＥＤ１８を点灯するようにしたが、ブザーを鳴動させるようにしてもよいし、遊技台が設置されたホールに付設した機器を作動させるようにしてもよく、種々の設計変更が可能である。
【００２２】
また、検知棒１０の揺動端部１０ｂの先端に重りを設けてもよく、重りの重量を調節することにより、検知する衝撃の強さを調節することができる。また、検知棒１０を直線状に形成したが、螺旋状に形成してもよく、その場合は、検知棒１０の全長を短くすることができるため、衝撃検知センサ３の小型化を図ることができる。
【図面の簡単な説明】
【００２３】
【図１】本発明に係る衝撃検知センサの平面図である。
【図２】同図（Ａ）は要部の側面図、同図（Ｂ）は同図（Ａ）におけるII（Ｂ）矢視図である。
【図３】本発明に係る衝撃検知センサの回路図である。
【図４】本発明に係る衝撃検知センサにおいて、衝撃が加えられたときの図２（Ａ）におけるII（Ｂ）矢視図である。
【符号の説明】
【００２４】
３…衝撃検知センサ、４…磁気検知センサ、１０…検知棒、１０ａ…基端部、１０ｂ…揺動端部、１１…基台、１２…検知片、１２ｂ…空間部、１２ｃ…内周面、１８…ＬＥＤ、２０…リードスイッチ。
【図１】
2010055996.tif 000003
【図２】
2010055996.tif 000004
【図３】
2010055996.tif 000005
【図４】
2010055996.tif 000006